(57)【特許請求の範囲】
【請求項１】
中心軸部と、複数本の突起部とによって構成され、
前記突起部は、隣接する突起部同士が前記中心軸部の長手軸線周りに４５°〜１２０°の角度間隔をおいて中心軸部から放射状に突出するように、かつ、前記中心軸部の長手軸線に対して４５°〜１３５°の角度範囲で突出するように構成されていることを特徴とする海藻の食害防止具。
【請求項２】
鉛直±２０°の範囲の方向に延在する垂直部が、前記突起部に接続され、保持されていることを特徴とする、請求項１に記載の海藻の食害防止具。
【請求項３】
基端側部分に対し先端側部分を屈曲させた鈎状の突起部を有していることを特徴とする、請求項１に記載の海藻の食害防止具。
【請求項４】
前記突起部が、前記中心軸部の長手軸線周りに、卍状に突設されていることを特徴とする、請求項３に記載の海藻の食害防止具。
【請求項５】
一段につき複数本の突起部が、上下方向へ二段以上配置され、上段の突起部の突出方向と、その下段の突起部の突出方向が相違するように構成されていることを特徴とする、請求項１に記載の海藻の食害防止具。
【請求項６】
天端面上、又は、上向きの傾斜面上に、請求項１〜５のいずれかに記載の海藻の食害防止具を複数固定してなることを特徴とする海藻の食害防止機能付きコンクリートブロック。
【発明の詳細な説明】
【技術分野】
【０００１】
本発明は、海藻が魚類による食害を受けて枯死することを防ぐための食害防止具、及び、海藻の食害防止機能を有するコンクリートブロックに関する。
【背景技術】
【０００２】
海藻の食害を防止するための方法として、保護しようとする海藻の全体、或いは、藻の育苗床を網で囲い、アイゴをはじめとする植食動物の進入を妨げて食害を防ごうとする方法や、海藻の生長点に繊維を結び付けるという食害防止方法が知られている。また、保護しようとする海藻の周囲にウニやアワビ等の忌避剤、或いは、放射状の棘状部を有する食害防止具を配置する方法なども知られている。
【先行技術文献】
【特許文献】
【０００３】
【特許文献１】特開平１１−１３７１１８号公報
【特許文献２】特開２００２−３３５７８４号公報
【特許文献３】特開平９−２８５２５０号公報
【特許文献４】特開２００７−２４４２６０号公報
【発明の概要】
【発明が解決しようとする課題】
【０００４】
しかしながら、海藻の全体、或いは、藻の育苗床を網で囲うという食害防止方法は、耐久性（耐波性）及び経済性の面で問題がある。具体的には、網を支える支柱等を簡易な構成とした場合、波や潮流により短期間で簡単に損壊してしまい、また、基盤が海底面に対して十分に固定されていない場合には、設置場所から流されてしまうという問題がある。一方、十分な耐久性を得ようとすると、材料費や設置作業のコストが嵩むことになり、小規模で実験的に実施する場合は別として、ある程度の大きな規模で実施しようとする場合には、経済性の観点から実現は難しいと考えられる。
【０００５】
また、海藻の生長点に繊維を結び付けるという食害防止方法は、作業員が海底に潜り、保護しようとする海藻の一つ一つに繊維を結び付ける作業を行わなければならず、非常に効率が悪く、特に広範囲の藻場造成を行う場合には、経済的な負担が大きくなってしまうという問題がある。更に、海藻の生長点の位置は種類により異なるため、コンブ科のサガラメ、アラメ、カジメ、クロメ以外の海藻について、この方法を適用できるかどうか不明である。
【０００６】
更に、上記のような従来の食害防止方法はいずれも、維持管理を行うに際して非常に手間がかかり、また、コストも嵩んでしまうという問題がある。例えば、海藻を網で囲う場合、時間の経過に伴って雑海藻や貝類等の付着性生物が網に付着することになり、それらの付着性生物によって網目が塞がれてしまう蓋然性が高い。これを放置すると、保護しようとする海藻が日照不足によって枯れてしまうため、それらの付着生物を定期的に除去する作業が必要となる。
【０００７】
また、保護しようとする海藻の周辺にウニやアワビ等の忌避剤を配置するという方法においては、忌避剤が海水中に放出されるため、効果を持続させるためには絶えず忌避剤を補給しなければならず、また、放射状の棘状部を有する食害防止具を配置するという方法においては、棘状部の間隔が狭いため、浮泥の堆積や付着性生物などによって隙間が埋まり、植食動物の侵入防止効果を維持するためには、定期的な清掃、交換等の作業が必要になる。このように、従来の食害防止方法は、維持管理に際して煩雑な作業が必要となり、そのための費用が嵩んでしまうという問題がある。
【０００８】
本発明は、上記のような問題を解決すべくなされたものであって、植食性魚類の補食から海藻の生長点を効率よく、かつ、経済的な方法で防御することにより、早期に藻場を造成することができる海藻の食害防止具、及び、海藻の食害防止機能付きコンクリートブロックを提供することを目的とする。
【課題を解決するための手段】
【０００９】
本発明に係る海藻の食害防止具は、中心軸部と、複数本の突起部とによって構成され、突起部は、隣接する突起部同士が中心軸部の長手軸線周りに４５°〜１２０°の角度間隔をおいて中心軸部から放射状に突出するように、かつ、中心軸部の長手軸線に対して４５°（斜め上方）〜１３５°（斜め下方）の範囲で突出するように構成されていることを特徴としている。
【００１０】
尚、突起部には、鉛直±２０°の範囲の方向に延在する垂直部を接続し、保持させるように構成することもできる。また、基端側部分に対し先端側部分を屈曲させた鈎状の突起部を採用し、更に、それらの鈎状の突起部を中心軸部の長手軸線周りに配置して、卍状に突出するように構成することもできる。
【００１１】
また、一段につき複数本の突起部を、上下方向へ二段以上配置し、上段の突起部の突出方向と、その下段の突起部の突出方向が相違するように構成することもできる。
【００１２】
また、本発明に係る海藻の食害防止機能付きコンクリートブロックは、天端面上、又は、上向きの傾斜面上に、海藻の食害防止具を複数固定してなるものであって、食害防止具が、中心軸部と、複数本の突起部とによって構成され、突起部は、隣接する突起部同士が前記中心軸部の長手軸線周りに４５°〜１２０°の角度間隔をおいて中心軸部から放射状に突出するように、かつ、中心軸部の長手軸線に対して４５°（斜め上方）〜１３５°（斜め下方）の範囲で突出するように構成されていることを特徴としている。
【００１３】
尚、このコンクリートブロックは、天端面上における最も外側の位置に、垂直部を有する食害防止具（外側用食害防止具）を配置し、それよりも内側の位置には、垂直部を有しない食害防止具（内側用食害防止具）を配置する構成としてもよい。
【発明の効果】
【００１４】
本発明に係る海藻の食害防止具、及び、海藻の食害防止機能付き根固めブロックは、海藻の生長点を植食性魚類から好適に保護することができ、食害による磯焼け海域の藻場回復に非常に有効である。また、取り付け作業を陸上で行うことができるので、効率よく作業を行うことができるほか、基本的には潜水作業が不要となり、設置作業に関するコストを大幅に縮減することができ、経済性に優れている。また、本発明に係る海藻の食害防止具は、潜水作業を行って、既に海底に設置されている根固めブロックに取り付けることもでき、この場合、新たにブロックを製作する必要が無いので、コストを縮減することができ、経済的に優れている。
【図面の簡単な説明】
【００１５】
【図１】図１は、本発明に係る海藻の食害防止具１（第１の実施形態）の斜視図である。
【図２】図２は、本発明に係る海藻の食害防止具１の他の構成例を示す斜視図である。
【図３】図３は、図１の食害防止具１の使用方法（第２の実施形態）の説明図（根固めブロック５の斜視図）である。
【図４】図４は、本発明に係る海藻の食害防止具１（第３の実施形態）の斜視図であり、図４（１）は、外側用食害防止具１ａの斜視図、図４（２）は、内側用食害防止具１ｂの斜視図である。
【図５】図５は、図４の食害防止具１の使用方法（第４の実施形態）の説明図（根固めブロック５の平面図）である。
【図６】図６（１）は、図５の根固めブロック５の天端面５ａ上に配置した食害防止具１のうち、外側用食害防止具１ａのみを表示した図であり、図６（２）は、内側用食害防止具１ｂのみを表示した図である。
【図７】図７は、本発明に係る海藻の食害防止具１（第５の実施形態）の斜視図であり、図７（１）は、外側用食害防止具１ａの斜視図、図７（２）は、内側用食害防止具１ｂの斜視図である。
【図８】図８は、図７の食害防止具１の使用方法（第６の実施形態）の説明図（根固めブロック５の平面図）である。
【図９】図９（１）は、図８の根固めブロック５の天端面５ａ上に配置した食害防止具１のうち、外側用食害防止具１ａのみを表示した図であり、図９（２）は、内側用食害防止具１ｂのみを表示した図である。
【図１０】図１０は、本発明に係る海藻の食害防止具１（第７の実施形態）の斜視図であり、図１０（１）は、幅狭型食害防止具１ｃの斜視図、図１０（２）は、幅広型食害防止具１ｄの斜視図である。
【図１１】図１１は、図１０の食害防止具１の使用方法（第８の実施形態）の説明図（根固めブロック５の平面図）である。
【図１２】図１２（１）は、図１１の根固めブロック５の天端面５ａ上に配置した食害防止具１のうち、幅狭型食害防止具１ｃのみを表示した図であり、図１２（２）は、幅広型食害防止具１ｄのみを表示した図である。
【発明を実施するための形態】
【００１６】
以下、添付図面に沿って本発明「海藻の食害防止具」及び「根固めブロック」の実施形態について説明する。
まず、本発明の第１の実施形態として、海藻の食害防止具１について説明する。本実施形態の海藻の食害防止具１は、図１に示すように、中心軸部２と、複数本の突起部３と、平板状のベース４とによって構成されている。
【００１７】
本実施形態においては、これらはいずれも金属によって形成されているが、硬質ゴムやプラスチックによって形成することもできる。中心軸部２は、図示されているように、ベース４の表面に対し長手軸線Ｃが垂直となる向きで、ベース４の中央から上方へ向かって立設されている。
【００１８】
突起部３は、中心軸部２の長手軸線Ｃ周りに、放射状に突設されている。突起部３の構成についてより詳細に説明すると、一段につき４本の突起部３が、上下方向へ四段にわたって合計１６本配置されている。これらのうち、第一段目（最上段）Ｓ１の４本の突起部３はいずれも、中心軸部２の長手軸線Ｃに対して９０°の方向へ突出するように（中心軸部２が鉛直となるように食害防止具１を設置した場合に、突起部３が水平方向へ突出するように）、かつ、隣接する突起部３同士が長手軸線Ｃ周りに９０°の角度間隔をおいて突出するように構成されている。第二段目Ｓ２の突起部３も、また、第三段目Ｓ３の突起部３も、第一段目と同様である。
【００１９】
第四段目（最下段）Ｓ４の突起部３は、隣接する突起部３同士が長手軸線Ｃ周りに９０°の角度間隔をおいて突出するように構成されている点は、第一段目Ｓ１（〜第三段目Ｓ３）の突起部３と同様であるが、中心軸部２の長手軸線Ｃに対して４５°の方向（斜め上方）へ突出するように構成されている。尚、第一段目Ｓ１〜第三段目Ｓ３の突起部３は、主として植食性魚類の成魚から海藻を防御することを目的としており、第四段目Ｓ４の突起部３は、特に海藻幼芽を防御することを目的としている。
【００２０】
尚、本実施形態においては、第一段目Ｓ１〜第三段目Ｓ３の突起部３は、中心軸部２の長手軸線Ｃに対して９０°の方向へ突出するように構成されているが、第四段目Ｓ４の突起部３と同様に、中心軸部２の長手軸線Ｃに対して４５°の方向（斜め上方）へ突出するように構成してもよいし（図２参照）、或いは、１３５°（斜め下方）へ突出するように構成してもよい。また、長手軸線Ｃに対する突起部３の角度は、９０°、４５°（斜め上方）、及び、１３５°（斜め下方）には限定されず、４５°（斜め上方）から１３５°（斜め下方）の範囲で適宜設定することができる。
【００２１】
植食性魚類の通常の摂餌姿勢は、下向き４５°（脊髄がほぼ斜め４５°の角度となり、口が斜め下方を向いた姿勢）から上向き４５°（脊髄がほぼ斜め４５°の角度となり、口が斜め上方を向いた姿勢）までの範囲であることが多いため、突起部３の角度を、植食性魚類の通常の摂餌姿勢に合わせ、中心軸部２の長手軸線Ｃに対して４５°（斜め上方）から１３５°（斜め下方）の範囲で設定することにより、植食性魚類の摂餌行動を好適に妨害することができる。
【００２２】
また、隣接する突起部３同士の長手軸線Ｃ周りの角度間隔は、４５°〜１２０°の範囲で適宜設定することができる。角度間隔が４５°より小さいと、浮泥の堆積や付着生物が多くなり、突起部３の隙間が埋まりやすくなってしまい、突起部３の隙間が埋まると、海藻に必要な日光が遮られてしまうという問題がある。また、魚類以外の植食動物（ウニ、貝類等）が付着しやすくなり、それらのすみかになってしまうという問題もある。一方、１２０°よりも大きいと、植食性魚類の侵入を好適に妨げることができないという問題がある。
【００２３】
本実施形態の食害防止具１は、隣接する突起部３同士の長手軸線Ｃ周りの角度間隔が９０°に設定されているため、植食性魚類の侵入を好適に妨げ、海藻の食害を防止することができ、かつ、浮泥の堆積や付着生物による突起部３の目詰まりという問題を好適に回避でき、その結果、メンテナンスがほぼ不要となり、そのための費用を縮減でき、経済性に優れている。
【００２４】
尚、中心軸部２の高さ寸法、突起部３の突出寸法、各段の間隔寸法については、保護しようとする海藻の種類、及び、対象とする植食性魚類の種類や大きさに応じて、適切な寸法に設定する。
【００２５】
例えば、ホンダワラ科の海藻のうち多年生のもの（ノコギリモクやマメタワラなど）については、毎年、主枝が流失した後に残る越年部位（茎と付着器）の生長点を防御することによって、枯死を回避し、好適に保護することができると考えられ、そのためには食害防止具１の高さを２０ｃｍ以上に設定する必要があると考えられる。また、ホンダワラ科の海藻のうち１年生のもの（アカモクなど）については、毎年、藻体すべてが枯死、流出するため、幼芽の生長点を保護すればよく、食害防止具１の高さは１０ｃｍ程度で足りる。コンブ科のアラメ、クロメなどにおいては、生長点は１箇所であり、底面から高さ３０〜４０ｃｍ付近に位置するため、食害防止具１の高さもこれに合わせて４０ｃｍ以上に設定する必要がある。コンブ科のマコンブやミツイシコンブなどにおいても、生長点は１箇所であり、底面から高さ１０〜２０ｃｍ付近に位置するため、食害防止具１の高さもこれに合わせて２０ｃｍ以上に設定する必要がある。
【００２６】
突起部３の突出寸法は、対象とする植食性魚類の体長によって決定する。食害防止具１同士の間隔を、対象魚類の体長に合わせて決めるためである。各段の間隔寸法は、対象魚類の体高より狭くなるように設定する。また、突起部３の数、及び、段数についても、図１の例には限定されず、保護しようとする海藻の種類によって適宜変更することができる。
【００２７】
また、本実施形態においては、中心軸部２は角柱状に構成されているが、断面形状は特に限定されず、円柱状、或いは、異形断面の形状とすることもできる。更に、突起部３についても、断面形状は限定されず、図示されているような円柱状でも、中心軸部２のような角柱状でもよく、また、先細り形状、或いは、先太り形状とすることもできる。特にコンブ科の海藻では、波や流れにより食害防止具の中心軸部先端および突起部先端と海藻の葉部の摩擦がおこり、海藻葉部を傷つける恐れがある場合には、各先端を曲げたり、保護材を取り付けることもできる。
【００２８】
また、各段（第一段目Ｓ１〜第四段目Ｓ４）における四つの突起部３は、いずれも高さ位置が揃っているが、必ずしも高さ位置を揃える必要はなく、同一の段の隣接する突起部３間で、設置位置を上下方向へずらしてもよい。
【００２９】
次に、本発明の第２の実施形態として、第１の実施形態の食害防止具１の使用方法の例（食害防止具１を適用した根固めブロック５）について説明する。例えば、図３に示すように、コンクリート製の根固めブロック５の天端面５ａに、多数の食害防止具１を、中心軸部２が天端面５ａに対し垂直となるように設置する。尚、天端面５ａだけでなく、上向きの傾斜面５ｂに取り付けてもよい。各食害防止具１の間隔、設置本数は、保護しようとする海藻の種類、及び、対象とする植食性魚類の種類や大きさにあわせて適宜設定する。
【００３０】
根固めブロック５の天端面５ａ、或いは、上向きの傾斜面５ｂに多数の食害防止具１を設置すると、根固めブロック５の上方の空間において、植食性魚類が侵入できない領域が形成され、その結果、根固めブロック５の天端面５ａ上、或いは、上向きの傾斜面５ｂ上で発芽し、生長した海藻６における植食性魚類による食害を好適に防止することができる。
【００３１】
尚、根固めブロック５に対する食害防止具１の取り付け作業は、根固めブロック５の製造時に陸上で行うことができる。より具体的には、根固めブロック５を形成するための型枠内にコンクリートを打設し、その後、コンクリートの硬化前に、図１に示すベース４、及び、中心軸部２の最下部（第四段目の突起部３よりも下の部分）を、根固めブロック５の天端面５ａ（或いは傾斜面５ｂ）を形成するコンクリートの中に埋め込み、コンクリートを硬化させる。また、既に製造された根固めブロック５の天端面５ａ（或いは傾斜面５ｂ）に、食害防止具１のベース４を、接着剤或いはモルタル等を用いて取り付けることもできる。
【００３２】
また、図１に示した食害防止具１のベース４を省略し、中心軸部２の最下部（第四段目の突起部３よりも下の部分）の寸法を長く設定し、既設の根固めブロック５の天端面５ａ（或いは傾斜面５ｂ）にドリルで孔をあけ、その中に中心軸部２の最下部を差し込み、接着剤或いはモルタル等を使用して食害防止具１を根固めブロック５に対して固定するようにしてもよい。
【００３３】
このようにして、食害防止具１を根固めブロック５に対して取り付け、これを海底に設置した場合、十分な耐波安定性を確保することができる。また、取り付け作業を陸上で行うことができるため、潜水作業が不要となり、設置作業に関するコストを大幅に縮減することができる。更に、既設の根固めブロック５に取り付ける場合には、ブロックを新設する必要が無く、汎用性、経済性が高い。
【００３４】
また、この食害防止具１は、藻体の全体を防御するのではなく、海藻の生長点を重点的に保護することができる。藻体の全体を防御するためには、カゴや網などで全体を囲うことが必要であり、経済性、耐波性の面で問題があるが、生長点を保護すれば他の部分を捕食されても組織が再生するため、海藻の食害を効率的、経済的に防止することができる。尚、本実施形態においては、食害防止具を根固めブロックに適用した例について説明したが、根固めブロック以外のコンクリートブロック（消波ブロック、或いは、汎用的なコンクリート製の方塊、コンクリート板など）に適用することもできる。
【００３５】
次に、本発明の第３の実施形態として、海藻の食害防止具１について説明する。本実施形態の海藻の食害防止具１（外側用食害防止具１ａ、内側用食害防止具１ｂ）は、図４に示すように、中心軸部２と、複数本の突起部３と、平板状のベース４とによって構成され、中心軸部２は、ベース４の表面に対し長手軸線が垂直となる向きで、ベース４の中央から上方へ向かって立設されている。
【００３６】
図４（１）の外側用食害防止具１ａは、突起部３が、中心軸部２の長手軸線周りに、放射状に突設されている。より詳細には、一段につき４本の突起部３が、上下方向へ三段にわたって合計１２本配置されている。これらの突起部３はいずれも、中心軸部２の長手軸線に対して９０°の方向へ突出するように、かつ、隣接する突起部３同士が中心軸部２の長手軸線周りに９０°の角度間隔をおいて突出するように構成されている。また、この食害防止具１ａは、突起部３のほかに、１本の垂直部７を有している。この垂直部７は、第一段目の１本の突起部３ａと、その下方に位置する第二段目の突起部３ｂと、更にその下方に位置する第三段目の突起部３ｃの先端部とそれぞれ接続され、ほぼ鉛直（鉛直±２０°の範囲の方向）に延在するように保持されている。
【００３７】
外側用食害防止具１ａの突起部３の長さはいずれも１０ｃｍに設定されている。また、中心軸部２の長さ（高さ）は２７ｃｍに設定されている。ベース４の表面と第三段目の突起部３までの間隔は、軸芯ベースで５ｃｍ、第三段目の突起部３と第二段目の突起部３の間隔、及び、第三段目の突起部３と第二段目の突起部３の間隔は、軸芯ベースでいずれも１０ｃｍに設定されている。
【００３８】
図４（２）の内側用食害防止具１ｂは、図４（１）の食害防止具１ａと同様に、中心軸部２の長手軸線周りに、複数の突起部３が放射状に突設されている。より詳細には、一段につき４本の突起部３が、上下方向へ二段にわたって合計８本配置されている。これらの突起部３は、中心軸部２の長手軸線に対して９０°の方向へ突出するように、かつ、隣接する突起部３同士が中心軸部２の長手軸線周りに９０°の角度間隔をおいて突出するように構成されている。
【００３９】
内側用食害防止具１ｂの突起部３の長さはいずれも１０ｃｍに設定されている。また、中心軸部２の長さ（高さ）は２７ｃｍに設定されている。ベース４の表面と第二段目の突起部３までの間隔は、軸芯ベースで５ｃｍ、第二段目の突起部３と第一段目の突起部３の間隔は、軸芯ベースで２０ｃｍに設定されている。
【００４０】
次に、本発明の第４の実施形態として、第３の実施形態の食害防止具１（外側用食害防止具１ａ、内側用食害防止具１ｂ）の使用方法の例（外側用食害防止具１ａ、及び、内側用食害防止具１ｂを適用した根固めブロック５）について説明する。例えば、図５に示すように、コンクリート製の根固めブロック５の天端面５ａに、多数の外側用食害防止具１ａ、及び、内側用食害防止具１ｂを、中心軸部２が天端面５ａに対し垂直となるように、かつ、すべての向き（各突起部３の延在方向）を揃えて設置する。
【００４１】
尚、外側用食害防止具１ａ、及び、内側用食害防止具１ｂは、任意の四つの食害防止具１のそれぞれ一つずつの突起部３の先端を、ある基準点Ｐ（図５参照）を中心として、その周囲に等しい角度間隔（９０°）、及び、等しい距離間隔で（基準点Ｐを挟んで対向する突起部３の先端同士の間隔が５ｃｍ、中心軸部２同士の間隔が２５ｃｍとなるように）突き合わせるという配置パターンに従って、規則的に配置する。また、それらのうち、最も外側（天端面５ａの外周縁寄り）の位置には、外側用食害防止具１ａを配置し（図６（１）参照）、それよりも内側（天端面５ａの中央部寄り）の位置には、内側用食害防止具１ｂを配置する（図６（２）参照）。
【００４２】
更に、外側用食害防止具１ａについては、図６（１）に示すように、垂直部７が、隣接する他の外側用食害防止具１ａの突起部３の先端に近接した位置となる向きで、かつ、隣り合う外側用食害防止具１ａの垂直部７同士が近接しない向きとなるようにそれぞれ配置する。
【００４３】
図４に示した外側用食害防止具１ａ、及び、内側用食害防止具１ｂを、図５及び図６に示すように配置した場合、植食性魚類（特に、体高１０ｃｍ以上、体幅５ｃｍ以上の魚類）が、根固めブロック５の外周側、及び、上方から、天端面５ａ上の領域内へ侵入することを防止することができ、根固めブロック５の天端面５ａ上で発芽し、生長した海藻における植食性魚類による食害を好適に防止することができる。
【００４４】
尚、根固めブロック５に対する食害防止具１の取り付け作業は、第２の実施形態と同様に、根固めブロック５を形成するための型枠内にコンクリートを打設し、その後、コンクリートの硬化前に、図４に示すベース４、及び、中心軸部２の最下部（ベース４の表面から２ｃｍ上方までの部分）を、根固めブロック５の天端面５ａを形成するコンクリートの中に埋め込み、つまり、打設されたコンクリートの表面から食害防止具１の最下段の突起部３までの高さ寸法が３ｃｍとなるように埋め込み、コンクリートを硬化させる。
【００４５】
次に、本発明の第５の実施形態として、海藻の食害防止具１について説明する。本実施形態の海藻の食害防止具１（外側用食害防止具１ａ、内側用食害防止具１ｂ）は、図７に示すように、中心軸部２と、基端側部分に対し先端側部分が水平方向へ直角に屈曲した鈎状の複数本の突起部３と、平板状のベース４とによって構成され、中心軸部２は、ベース４の表面に対し長手軸線が垂直となる向きで、ベース４の中央から上方へ向かって立設されている。
【００４６】
図７（１）の外側用食害防止具１ａは、鈎状の突起部３が、中心軸部２の長手軸線周りに、放射状に（卍状に）突設されている。より詳細には、一段につき４本の鈎状の突起部３が、上下方向へ三段にわたって合計１２本配置されている。これらの突起部３はいずれも、基端側部分が中心軸部２の長手軸線に対して９０°の方向へ突出するように、かつ、隣接する突起部３の基端側部分同士が中心軸部２の長手軸線周りに９０°の角度間隔をおいて突出するように構成されている。
【００４７】
外側用食害防止具１ａの突起部３の基端側部分、及び、先端側部分の長さはいずれも１０ｃｍに設定されている。また、中心軸部２の長さ（高さ）は２７ｃｍに設定されている。ベース４の表面と第三段目の突起部３までの間隔は、軸芯ベースで５ｃｍ、第三段目の突起部３と第二段目の突起部３の間隔、及び、第三段目の突起部３と第二段目の突起部３の間隔は、軸芯ベースでいずれも１０ｃｍに設定されている。
【００４８】
図７（２）の内側用食害防止具１ｂは、図７（１）の食害防止具１ａと同様に、鈎状の突起部３が、中心軸部２の長手軸線周りに、放射状に（卍状に）突設されている。より詳細には、一段につき４本の突起部３が、上下方向へ二段にわたって合計８本配置されている。これらの突起部３はいずれも、基端側部分が中心軸部２の長手軸線に対して９０°の方向へ突出するように、かつ、隣接する突起部３の基端側部分同士が中心軸部２の長手軸線周りに９０°の角度間隔をおいて突出するように構成されている。
【００４９】
内側用食害防止具１ｂの突起部３の基端側部分、及び、先端側部分の長さはいずれも１０ｃｍに設定されている。また、中心軸部２の長さ（高さ）は２７ｃｍに設定されている。ベース４の表面と第二段目の突起部３までの間隔は、軸芯ベースで５ｃｍ、第二段目の突起部３と第一段目の突起部３の間隔は、軸芯ベースで２０ｃｍに設定されている。
【００５０】
次に、本発明の第６の実施形態として、第５の実施形態の食害防止具１（外側用食害防止具１ａ、内側用食害防止具１ｂ）の使用方法の例（外側用食害防止具１ａ、及び、内側用食害防止具１ｂを適用した根固めブロック５）について説明する。例えば、図８に示すように、コンクリート製の根固めブロック５の天端面５ａに、多数の外側用食害防止具１ａ、及び、内側用食害防止具１ｂを、中心軸部２が天端面５ａに対し垂直となるように、かつ、すべての向き（各突起部３の延在方向）を揃えて設置する。
【００５１】
尚、外側用食害防止具１ａ、及び、内側用食害防止具１ｂは、突起部３の基端部側の延長方向に並列させて、等しい距離間隔で（隣接する食害防止具１の突起部３の先端同士の間隔が５ｃｍ、中心軸部２同士の間隔が２５ｃｍとなるように）格子状に配置する。また、それらのうち、最も外側（天端面５ａの外周縁寄り）の位置には、外側用食害防止具１ａを配置し（図９（１）参照）、それよりも内側（天端面５ａの中央部寄り）の位置には、内側用食害防止具１ｂを配置する（図９（２）参照）。
【００５２】
図７に示した外側用食害防止具１ａ、及び、内側用食害防止具１ｂを、図８及び図９に示すように配置した場合、植食性魚類（特に、体高１０ｃｍ以上、体幅５ｃｍ以上の魚類）が、根固めブロック５の外周側、及び、上方から、天端面５ａ上の領域内へ侵入することを防止することができ、根固めブロック５の天端面５ａ上で発芽し、生長した海藻における植食性魚類による食害を好適に防止することができる。
【００５３】
尚、根固めブロック５に対する食害防止具１の取り付け作業は、第２の実施形態と同様に、根固めブロック５を形成するための型枠内にコンクリートを打設し、その後、コンクリートの硬化前に、図７に示すベース４、及び、中心軸部２の最下部（ベース４の表面から２ｃｍ上方までの部分）を、根固めブロック５の天端面５ａを形成するコンクリートの中に埋め込み、つまり、打設されたコンクリートの表面から食害防止具１の最下段の突起部３までの高さ寸法が３ｃｍとなるように埋め込み、コンクリートを硬化させる。
【００５４】
次に、本発明の第７の実施形態として、海藻の食害防止具１について説明する。本実施形態の海藻の食害防止具１（幅狭型食害防止具１ｃ、幅広型食害防止具１ｄ）は、図１０に示すように、中心軸部２と、複数本の突起部３と、平板状のベース４とによって構成され、中心軸部２は、ベース４の表面に対し長手軸線が垂直となる向きで、ベース４の中央から上方へ向かって立設されている。
【００５５】
図１０（１）の幅狭型食害防止具１ｃ、及び、図１０（２）の幅広型食害防止具１ｄは、突起部３が、中心軸部２の長手軸線周りに、放射状に突設されている。より詳細には、一段につき４本の突起部３が、上下方向へ二段にわたって合計８本ずつ配置されている。これらの突起部３はいずれも、中心軸部２の長手軸線に対して９０°の方向へ突出するように、かつ、隣接する突起部３同士が中心軸部２の長手軸線周りに９０°の角度間隔をおいて突出するように構成されている。尚、上段の４本の突起部３の突出方向と、下段の４本の突起部３の突出方向は、４５°相違している。
【００５６】
これらの食害防止具１の突起部３の長さはいずれも１０ｃｍに設定され、中心軸部２の長さ（高さ）は２７ｃｍに設定されている。ベース４の表面と下段の突起部３までの間隔は、軸芯ベースで５ｃｍに設定されている。また、幅狭型食害防止具１ｃの下段の突起部３と上段の突起部３の間隔は、幅広型食害防止具１ｄよりも狭く、軸芯ベースで１０ｃｍに設定され、幅広型食害防止具１ｄの下段の突起部３と上段の突起部３の間隔は、幅狭型食害防止具１ｃよりも広く、軸芯ベースで２０ｃｍに設定されている。
【００５７】
次に、本発明の第８の実施形態として、第７の実施形態の食害防止具１（幅狭型食害防止具１ｃ、幅広型食害防止具１ｄ）の使用方法の例（幅狭型食害防止具１ｃ、及び、幅広型食害防止具１ｄを適用した根固めブロック５）について説明する。例えば、図１１に示すように、コンクリート製の根固めブロック５の天端面５ａに、多数の幅狭型食害防止具１ｃ、及び、幅広型食害防止具１ｄを、中心軸部２が天端面５ａに対し垂直となるように、かつ、幅狭型食害防止具１ｃの上段の突起部３の向きと、幅広型食害防止具１ｄの下段の突起部３の向きをすべて揃えて（或いは、幅狭型食害防止具１ｃの下段の突起部３の向きと、幅広型食害防止具１ｄの上段の突起部３の向きをすべて揃えて）設置する。
【００５８】
これらの食害防止具１は、基準となる一つの食害防止具１の上段の突起部３、或いは、下段の突起部３の延長方向に並列させて、等しい距離間隔で（隣接する食害防止具１の中心軸部２同士の間隔が１７ｃｍとなるように）格子状に配置する。尚、外側であるか、内側であるかを問わず、幅狭型食害防止具１ｃと、幅広型食害防止具１ｄとを交互に配置し、幅狭型食害防止具１ｃ同士が隣り合わないように、また、幅広型食害防止具１ｄ同士が隣り合わないように配置する（図１２（１）（２）参照）。
【００５９】
図１０に示した幅狭型食害防止具１ｃ、及び、幅広型食害防止具１ｄを、図１１及び図１２に示すように配置した場合、植食性魚類（特に、体高１０ｃｍ以上、体幅５ｃｍ以上の魚類）が、根固めブロック５の外周側、及び、上方から、天端面５ａ上の領域内へ侵入することを防止することができ、根固めブロック５の天端面５ａ上で発芽し、生長した海藻における植食性魚類による食害を好適に防止することができる。
【００６０】
根固めブロック５に対する食害防止具１の取り付け作業は、第２の実施形態と同様に、根固めブロック５を形成するための型枠内にコンクリートを打設し、その後、コンクリートの硬化前に、図１０に示すベース４、及び、中心軸部２の最下部（ベース４の表面から２ｃｍ上方までの部分）を、根固めブロック５の天端面５ａを形成するコンクリートの中に埋め込み、つまり、打設されたコンクリートの表面から食害防止具１の最下段の突起部３までの高さ寸法が３ｃｍとなるように埋め込み、コンクリートを硬化させる。
【００６１】
尚、第３〜８の実施形態において説明した突起部３及び中心軸部２の寸法、上下段の突起部３同士の間隔寸法、隣接する食害防止具１の間隔寸法、角度等は、それぞれ必要に応じて±２５％の範囲内で適宜加減することができる。
【符号の説明】
【００６２】
１：食害防止具、
１ａ：外側用食害防止具、
１ｂ：内側用食害防止具、
１ｃ：幅狭型食害防止具、
１ｄ：幅広型食害防止具、
２：中心軸部、
３：突起部、
４：ベース、
５：根固めブロック、
５ａ：天端面、
５ｂ：傾斜面、
６：海藻、
７：垂直部、
Ｃ：長手軸線、
Ｓ１：第一段目、
Ｓ２：第二段目、
Ｓ３：第三段目、
Ｓ４：第四段目
【図１】
0005406097.tif 000002
【図２】
0005406097.tif 000003
【図３】
0005406097.tif 000004
【図４】
0005406097.tif 000005
【図５】
0005406097.tif 000006
【図６】
0005406097.tif 000007
【図７】
0005406097.tif 000008
【図８】
0005406097.tif 000009
【図９】
0005406097.tif 000010
【図１０】
0005406097.tif 000011
【図１１】
0005406097.tif 000012
【図１２】
0005406097.tif 000013